【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  各々が交点とそれぞれの電線の間に接続された複数のレッグの各々に直列に接続された複数のコンバーターセルを持ち、前記レッグの組の間に線間電圧出力を持つ多相電源の動作方法であって：
（ａ）全ての前記レッグの故障セルを検知し；
（ｂ）各故障セルを迂回するバイパスを与えることで、少なくとも１つの故障セルを持った全ての前記レッグに電流パスを形成し；そして、
（ｃ）前記線間電圧を最大化し、全ての線間電圧出力の大きさを大体一定に保つように前記電源のレッグにあるセルを制御することを含む多相電源の動作方法。
【請求項２】  線間の位相を大体均衡に保持することをさらに含む、請求項１に記載の方法。
【請求項３】  レッグ間の位相関係を調整することで線間電圧の大きさを大体等しく保持することをさらに含む、請求項１に記載の方法。
【請求項４】  レッグ間のピーク電圧要求を減少することをさらに含む、請求項１に記載の方法。
【請求項５】  ピーク電圧減少を与える電圧命令を生成し、少なくとも１つの故障セルの検出への応答で前記命令の変更を行うことをさらに含む、請求項１に記載の方法。
【請求項６】  命令信号により前記コンバーターセルをパルス幅変調することをさらに含む、請求項１に記載の方法。
【請求項７】  少なくとも１つの故障セルを持ったレッグ中のバイパスされていない各前記コンバーターセルへの命令信号を増大させることをさらに含む、請求項１に記載の方法。
【請求項８】  前記命令信号の前記増大が前記レッグのバイパスされてないセルの数に対する前記レッグのセルの全数の比に大体等しい量である、請求項７に記載の方法。
【請求項９】  前記制御が少なくとも１つの故障セルを持った各前記レッグ中のバイパスされてないセルのサイクルの一部の期間の出力の大きさを増大させることをさらに含む、請求項１に記載の方法。
【請求項１０】  前記制御が故障セルを持たない各前記レッグ中のバイパスされてないセルのサイクルの一部の期間の出力の大きさを増大させることをさらに含む、請求項１に記載の方法。
【請求項１１】  前記制御が少なくとも１つの故障セルを持った各前記レッグ中のバイパスされてないセルのサイクルの一部の期間の出力の大きさを増大させることをさらに含む、請求項１０に記載の方法。
【請求項１２】  前記のレッグ間位相角度の調整が前記レッグ中の故障したセルの数に基づいた予め決められた角度に従って行われる、請求項３に記載の方法。
【請求項１３】  前記のあらかじめ決められた角度が数値表から得られる、請求項１２に記載の方法。
【請求項１４】  大体均衡になった線間電圧を生成するために、前記調整がレッグ間位相角度を計算することを含む、請求項３に記載の方法。
【請求項１５】  前記変更が１つの前記レッグ中のバイパスされてないセルの数に対する前記１つのレッグ中のセルの全数の比に大体等しい量だけ前記命令を増大させることをさらに含む、請求項５に記載の方法。
【請求項１６】  各々が交点とそれぞれの電線の間に接続された複数のレッグの各々に直列に接続された複数のコンバーターセルを持ち、前記レッグの組の間に線間電圧出力を持つ多相電源の動作方法であって：
（ａ）全ての前記レッグの故障セルを検知し；
（ｂ）各前記故障セルの少なくとも１つの入力と出力を切り替えることによって、少なくとも１つの故障セルを持った全ての前記レッグに電流パスを形成し；そして、
（ｃ）前記線間電圧を最大化し、全ての線間電圧出力の大きさを大体一定に保つために前記電源のレッグにあるセルを制御することを含む多相電源の動作方法。
【請求項１７】  線間の位相を大体均衡に保持することをさらに含む、請求項１６に記載の方法。
【請求項１８】  レッグ間の位相関係を調整することで線間電圧の大きさを大体等しく保持することをさらに含む、請求項１６に記載の方法。
【請求項１９】  レッグ間のピーク電圧要求を減少することをさらに含む、請求項１６に記載の方法。
【請求項２０】  ピーク電圧減少を与える電圧命令を生成し、少なくとも１つの故障セルの検出への応答で前記命令の変更を行うことをさらに含む、請求項１６に記載の方法。
【請求項２１】  命令信号により前記コンバーターセルをパルス幅変調することをさらに含む、請求項１６に記載の方法。
【請求項２２】  少なくとも１つの故障セルを持ったレッグ中のバイパスされていない各前記コンバーターセルへの命令信号を増大することをさらに含む、請求項１６に記載の方法。
【請求項２３】  前記命令信号の増大が前記レッグのバイパスされてないセルの数に対する前記レッグのセルの全数の比に大体等しい、請求項２２に記載の方法。
【請求項２４】  前記制御が、少なくとも１つの故障セルを持った各前記レッグ中のバイパスされてないセルのサイクルの一部の期間の出力の大きさを増大させることをさらに含む、請求項１６に記載の方法。
【請求項２５】  前記制御が故障セルを持たない各前記レッグ中のバイパスされてないセルのサイクルの一部の期間の出力の大きさを増大させることをさらに含む、請求項１６に記載の方法。
【請求項２６】  前記制御が少なくとも１つの故障セルを持った各前記レッグ中のバイパスされてないセルのサイクルの一部の期間の出力の大きさを増大させることをさらに含む、請求項２５に記載の方法。
【請求項２７】  前記のレッグ間位相角度の調整が前記レッグ中の故障したセルの数に基づいた予め決められた角度に従って行われる、請求項１８に記載の方法。
【請求項２８】  前記のあらかじめ決められた角度が数値表から得られる、請求項２７に記載の方法。
【請求項２９】  大体均衡になった線間電圧を生成するために、前記調整がレッグ間位相角度を計算することを含む、請求項１８に記載の方法。
【請求項３０】  前記変更が１つの前記レッグ中のバイパスされてないセルの数に対する前記１つの前記レッグ中のセルの全数の比に大体等しい量だけ前記命令を増大させることをさらに含む、請求項２０に記載の方法。
【請求項３１】  前記切替が空気力学的に実行される、請求項１６に記載の方法。
【請求項３２】  前記切替が単極双投接点切替スイッチの動作を介して行われる、請求項１６に記載の方法。
【請求項３３】  前記切替スイッチの前記動作が前記単極双投接点切替スイッチ接点から離れて配置され、絶縁体管により空気力学的に接続された圧縮流体源を介して行われる、請求項３２に記載の方法。
【請求項３４】  前記圧縮流体源が電気信号により作動する、請求項３３に記載の方法。
【請求項３５】  電気的駆動コンプレッサーで前記圧縮流体源を生成することをさらに含む、請求項３４に記載の方法。
【請求項３６】  線間電圧出力を持った多相電源であって：
（ａ）各々が交点とそれぞれの電線の間に接続された複数のレッグの各々に直列に接続された複数のコンバーターセル；及び、
（ｂ）前記セルの各々の出力電圧を制御し、それによって前記レッグの組の間に前記線間電圧を供給するためのコントローラーであって：
（ｃ）全ての前記レッグで故障セルを検知し、それに対する応答で前記直列配列から故障セルを除去し；そして、
（ｄ）前記線間電圧出力を最大にし、全ての線間電圧出力の大きさを大体等しく保持するために前記セル出力を制御する前記コントローラーを備える多相電源。
【請求項３７】  前記コントローラーが使用可能なセルの出力制御により大体均衡した線間位相を保持する、請求項３６に記載の多相電源。
【請求項３８】  前記コントローラーがレッグ間位相の関係を調整することにより線間電圧の大きさを大体等しく保持する、請求項３６に記載の多相電源。
【請求項３９】  前記コントローラーが減少したピーク電圧要求を持つ前記セルを動作させる、請求項３６に記載の多相電源。
【請求項４０】  ピーク電圧の減少を与えるための電圧命令を生成し、少なくとも１つの故障セルの検知への応答で前記命令の変更をする前記コントローラーを備える、請求項３９に記載の多相電源。
【請求項４１】  前記コントローラーが各々の前記レッグ中の故障したセルの数に基づいて予め決められた角度の表によってレッグ間位相の角度を調整する、請求項３６に記載の多相電源。
【請求項４２】  前記コントローラーが故障セルを持たない前記レッグの各々で使用可能なセルのサイクルの一部の期間中にセル出力の大きさを増大させる、請求項３６に記載の多相電源。
【請求項４３】  前記コントローラーが前記直列配列から前記故障セルを除去するためのバイパスを動作させる、請求項３６に記載の多相電源。
【請求項４４】  前記コントローラーが前記直列配列から前記故障セルを除去するための切替スイッチを動作させる、請求項３６に記載の多相電源。
【請求項４５】  前記切替スイッチが流体による動作である、請求項４４に記載の多相電源。
【請求項４６】  前記切替スイッチが前記切替スイッチに隣接した高電圧から離れて配置された流体源から空気力学的に動作される、請求項４５に記載の多相電源。
【請求項４７】  前記流体源がコンプレッサーを備え、気体の圧力が絶縁体の管によって前記切替スイッチへ運ばれる、請求項４５に記載の多相電源。
【請求項４８】  多相電源の出力に複数のセルを相互に連結するための切替スイッチであって：
（ａ）可動のスイッチアームを持った単極双投接点の組立体；
（ｂ）前記スイッチアームを第１スイッチ位置に動かす力部材；
（ｃ）前記スイッチアームを第２スイッチ位置に止めておく掛け金部材；及び、
（ｄ）空気力学的に動作する掛け金解放であって、前記スイッチアームが前記第２位置にあるときに空気力学的流体が前記掛け金部材を解放するために前記切替スイッチを起動し、前記力部材が前記スイッチアームを前記第１位置に移動させることを可能にする掛け金解放を備える切替スイッチ。
【請求項４９】（ｅ）前記スイッチ組立体から離れて配置された圧縮流体源；及び、
（ｆ）絶縁体材料の管により前記掛け金開放に接続された前記圧縮流体源をさらに備える、請求項４８に記載の切替スイッチ。
【請求項５０】（ｇ）前記スイッチアームを前記の力部材に逆らって前記第１位置から前記第２位置に手動で動かすための手段をさらに含む、請求項４９に記載の切替スイッチ。